(57)【要約】【課題】球噛みの発生を迅速に抑制できる簡易な構造のパチンコ機を提供する。【解決手段】パチンコ機１Ａの役物装置２Ａに設けられる回転体収納室７に収納した回転体６の回転軸２５にばね受け３６を取付け、ばね受け３６と有底筒部３５の底部３５ａとの間にスプリング３７を設けた。回転体６は、通常時に、スプリング３７の弾性力により回転体収納室用基板１５と回転体６との間に移動空間３８を形成するように配置されている。回転体前面領域３３に遊技球１０が複数個入り、回転体６にかかる後ろ方向の荷重が大きくなると、回転体６はスプリング３７の弾性力に抗して後ろ方向に移動し、回転体前面領域３３に入っていて球噛みを招きかねない遊技球１０の位置がずれ球噛みの発生が抑制される。このため、球噛みにより生じ得る、回転体６のスムーズな回転の抑制、ひいては回転体６の回転阻止を招くことがない。さらに、モータ２０の破損を抑制できる。【選択図】　　　　図１
2004065519.tif 000002
【特許請求の範囲】
【請求項１】
外周部に球受け用の凹部を形成した回転体と、回転体を収納する回転体収納室と、一端側が回転体に連結され他端側が回転体収納室の外部に延びギヤ機構を介してモータに連結され、かつ軸方向に移動可能に配置された回転軸とを有し、回転体収納室における回転体の前面領域に入賞した遊技球を前記凹部に収納して回転移動させ回転体収納室の外部に放出する役物装置を備えたパチンコ機において、前記回転軸と所定の固定部との間に、回転軸を前方に付勢する弾性部材を設け、前記回転体が荷重を受けていない通常時に前記弾性部材の弾性力により前記回転体収納室の後面側壁部と回転体との間に所定の移動空間が形成されるように回転体を配置したことを特徴とするパチンコ機。
【発明の詳細な説明】
【０００１】
【発明の属する技術分野】
本発明はパチンコ機に係り、特に役物装置に設けた回転体の回転に影響する球噛みの発生を抑制する機構に関するものである。
【０００２】
【従来の技術】
パチンコ機では、遊技者の遊技意欲の向上等のために種々の作動態様をなす役物装置が設けられている。その一例として、図３〜図６に示すように、回転体を有した役物装置がある。
このパチンコ機１の役物装置２は、遊技盤３のベニヤ板４の前面に開閉作動する羽根部材５を設けている。羽根部材５に対応してベニヤ板４の背面側（図３右側）には、円板状の回転体６を収納する回転体収納室７が設けられている。また、ベニヤ板４における羽根部材５の下部には孔８（入賞口）が設けられており、羽根部材５が開いている時に遊技球が通過（入賞）可能となっている。前記孔８を通過した遊技球１０は、当該孔８と前記回転体収納室７との間に設けられた遊技球通路１１を通って回転体収納室７の上部開口部１２を通り回転体収納室７の内部に流下される。
【０００３】
回転体収納室７は、ベニヤ板４と平行して回転体６の後面側に配置される基板（以下、回転体収納室用基板という。）１５と、回転体収納室用基板１５の前面側に設けられ、回転体収納室用基板１５とあわせて上方に向けて開口する空間部（以下、回転体収納空間という。）１６を形成する箱状板部１７とから大略構成されている。回転体収納空間１６には、回転体６が収納されると共に、遊技球１０が流下され遊技球１０を一時的に貯留し得るようになっている。
【０００４】
回転体収納空間１６の後部側には前記回転体６が収納されており、モータ２０により回転駆動されるようになっている。回転体６の外周部には３つの凹部６ａが形成されている。また、回転体収納室用基板１５における回転体６に臨む部分であって、上方部分には、遊技球１０を通過し得る大きさの孔（放出孔）１８が形成されている。そして、遊技球１０が、回転体収納室７における回転体６の前面領域に入賞した場合、その遊技球１０は前記凹部６ａに収納され回転移動されて前記放出孔１８を通して回転体収納室７の外部に放出され、さらに案内樋２１を介して上皿２２に戻される。
【０００５】
また、回転体収納室７の後部側部分を覆うように箱状体２３が設けられている。箱状体２３には、回転体収納室用基板１５に平行してその背面側で対面する側壁板２３ａを有している。
回転体６には軸（回転軸２５）が連結されており、この回転軸２５は、回転体収納室用基板１５の孔（符号省略）に設けた軸受部（以下、前方軸受部２６という。）及び側壁板２３ａの孔（符号省略）に設けた軸受部（以下、後方軸受部２７という。）に支持されて先端部が側壁板２３ａの背面側に突出している。
回転軸２５の先端部は、ギヤ機構３０を介してモータ２０に連結されている。ギヤ機構３０は、回転軸２５の先端部に設けられたギヤ（回転体用ギヤ）３１と、モータ２０の軸に設けられて回転体用ギヤ３１にかみ合う駆動用ギヤ３２とからなっている。そして、モータ２０の作動によりギヤ機構３０を介して回転力が回転軸２５に伝達され回転体６が回転するようになっている。
【０００６】
【発明が解決しようとする課題】
ところで、上記パチンコ機１では、回転体収納室７における回転体６の前面領域（以下、回転体前面領域という。）３３に遊技球１０が複数個入った場合、回転体６と箱状板部１７とで遊技球１０が保持されて、回転体６の回転が抑制され、場合によっては遊技球１０の動きが阻止されると共に回転体６の回転が阻止された状態になる（いわゆる球噛みを発生する）ことがある。そして、球噛みの発生に伴い、モータ２０に過大な荷重がかかりモータ２０の破損を招くことが起こり得た。
【０００７】
上記球噛みの対策として、球噛みを検出し、この検出に応じて回転体６を反対方向に回転させること、または回転体６のエッジをＲ形状にすることなどが考えられる。
しかしながら、上記２つの方策のうち前者の方策では、球噛みが進んだ状態で球噛みを検出した場合、回転体６にかかる負荷が大きくなってしまい、回転体６を反対方向に回転させることは、容易には行えなかった。
また、回転体６のエッジをＲ形状にする方策については、回転体６が金型を用いて製作されることから、現実にはエッジをＲ形状にすることは容易ではなく、採用し難いものである。また、仮に、エッジをＲ形状にできたとしても、遊技球１０が接触面に面接触でなく点接触で接触しても球噛みが発生することから、この方策は効果が薄いものである。
【０００８】
本発明は、上記事情に鑑みてなされたもので、球噛みの発生を迅速に抑制できる簡易な構造のパチンコ機を提供することを目的とする。
【０００９】
【課題を解決するための手段】
請求項１記載の発明は、外周部に球受け用の凹部を形成した回転体と、回転体を収納する回転体収納室と、一端側が回転体に連結され他端側が回転体収納室の外部に延びギヤ機構を介してモータに連結され、かつ軸方向に移動可能に配置された回転軸とを有し、回転体収納室における回転体の前面領域に入賞した遊技球を前記凹部に収納して回転移動させ回転体収納室の外部に放出する役物装置を備えたパチンコ機において、前記回転軸と所定の固定部との間に、回転軸を前方に付勢する弾性部材を設け、前記回転体が荷重を受けていない通常時に前記弾性部材の弾性力により前記回転体収納室の後面側壁部と回転体との間に所定の移動空間が形成されるように回転体を配置したことを特徴とする。
【００１０】
【発明の実施の形態】
本発明の一実施の形態を図１及び図２に基づいて説明する。なお、図３〜図６に示す部材、部分と同等の部材、部分は同等の符号で示し、その説明は適宜省略する。
この実施の形態に係るパチンコ機１Ａの役物装置２Ａでは、回転体収納室７に円板状の回転体６を収納している。回転体６は円柱状としてもよい。箱状体２３の側壁板２３ａには、回転体用ギヤ３１側に突出する有底筒部３５が形成されている。有底筒部３５の底部３５ａ（所定の固定部）には孔（符号省略）が形成されている。この孔に設けた後方軸受部２７及び前記前方軸受部２６に回転軸２５が挿入され、回転可能に支持されている。回転軸２５における略中間部分には、止め輪からなるばね受け３６が取付けられており、後述するスプリング３７（弾性部材）の一端側を支持し、かつスプリング３７の抜け防止を図るようにしている。なるばね受け３６はＥリングで構成してもよい。
【００１１】
ばね受け３６と有底筒部３５の底部３５ａとの間には回転軸２５を前方（図１左方向）に付勢するスプリング３７が設けられている。回転体６（回転軸２５）に後ろ方向（図１右方向）の荷重がかかっていないとき（回転体が荷重を受けていない通常時）には、スプリング３７の弾性力により、回転体収納室用基板１５（回転体収納室の後面側壁部）と回転体６との間に所定の移動空間３８を形成するように、回転体６が配置（図１の状態）されている。
前記回転軸２５は、前記移動空間３８の大きさだけ、後方に移動可能であり、この移動分を考慮して、駆動用ギヤ３２を幅広にしてある。これにより、前記回転軸２５の移動に際しても、駆動用ギヤ３２及び回転体用ギヤ３１が確実にかみ合うようにしている。
【００１２】
上述したように構成したパチンコ機１Ａでは、遊技球１０が回転体前面領域３３（回転体収納室７における回転体６の前面領域）に入賞した場合、その遊技球１０は回転体６の凹部６ａに収納されて回転体６の回転により回転移動され、前記放出孔１８を通して回転体収納室７の外部に放出される。そして、放出孔１８を通して回転体収納室７の外部に放出された遊技球１０は、さらに案内樋２１（図３参照）を介して上皿２２（図３参照）に戻されるようになっている。
【００１３】
上述した遊技球１０の流れの過程において、回転体前面領域３３に遊技球１０が複数個入ると、球噛みを発生しやすくなり、回転体６にかかる後ろ方向の荷重が大きくなる。その後ろ方向の荷重の大きさが、スプリング３７の弾性力より大きくなると、回転体６はスプリング３７の弾性力に抗して後ろ方向に移動する。回転体６が後ろ方向に移動した分、回転体前面領域３３の容積が拡大される。
【００１４】
そして、回転体前面領域３３に入っていて球噛みを招きかねない遊技球１０の位置がずれ、球噛みの発生が抑制される。このため、球噛みにより生じ得る、回転体６がスムーズに回転できなくなること、ひいては回転体６の回転阻止を招くことがない。さらに、モータ２０に過大な荷重がかかるようなことがなくなり、モータ２０の異常な発熱及び破損を抑制できる。
また、球噛みの発生が抑制されたことにより、回転軸２５を介してスプリング３７の弾性力を受けて回転体６は前方に移動し通常時の位置に戻る。
【００１５】
上記実施の形態では、回転体収納室７の外部に放出された遊技球１０は、上皿２２（図３参照）に戻されるようになっているが、これに代えて遊技球１０をアウト球として当該パチンコ機１Ａの外部に排出したり、賞球獲得のための領域に供給するなど、別のルートに案内するようにしてもよい。
上記実施の形態では、弾性部材がスプリング３７である場合を例にしたが、これに代えてゴムなどの他の弾性部材を用いるようにしてもよい。
【００１６】
また、上記実施の形態では、回転軸２５に取付けるばね受け３６を有底筒部３５の底部３５ａ（所定の固定部）より前方に位置させ、ばね受け３６と有底筒部３５の底部３５ａとの間に回転軸２５を前方（図１左方向）に付勢するスプリング３７を設けた場合を例にした。この例に代えて、所定の固定部をばね受け３６に対し前方に設定し、所定の固定部とばね受け３６との間に、引っ張り力を発揮するスプリング３７を設け、スプリング３７の引っ張り力により回転軸２５を前方（図１左方向）に付勢するように構成してもよい。
【００１７】
【発明の効果】
請求項１記載の発明によれば、回転体収納室における回転体の前面領域に遊技球が複数個入ると、球噛みを発生しやすくなり、回転体にかかる後ろ方向の荷重が大きくなる。その後ろ方向の荷重の大きさが、スプリングの弾性力より大きくなると、回転体はスプリングの弾性力に抗して後ろ方向に移動する。回転体６が後ろ方向に移動した分、前記回転体の前面領域の容積が拡大される。そして、前記回転体の前面領域に入っていて球噛みを招きかねない遊技球の位置がずれ、球噛みの発生が抑制される。このため、球噛みにより生じ得る、回転体がスムーズに回転できなくなること、ひいては回転体の回転阻止を招くことがない。さらに、モータに過大な荷重がかかるようなことがなくなり、モータの異常な発熱及び破損を抑制できる。
【図面の簡単な説明】
【図１】本発明の一実施の形態を示し、回転体が通常状態で配置されている場合の断面図である。
【図２】図１の役物装置の作用を説明するための回転体及びその近傍部分を模式的に示す断面図である。
【図３】従来の一例のパチンコ機の役物装置を模式的に示す断面図である。
【図４】図３の役物装置の回転体が通常状態で配置されている場合の断面図である。
【図５】図３の回転体を模式的に示す正面図である。
【図６】図３の回転体に後ろ方向の荷重がかかっている場合を模式的に示す断面図である。
【符号の説明】
１Ａ　パチンコ機
６　　回転体
６ａ　凹部
７　　回転体収納室
１０　遊技球
２０　モータ
２５　回転軸
３３　回転体前面領域（回転体収納室における回転体の前面領域）
３５　有底筒部
３５ａ　底部（所定の固定部）
３６ばね受け
３７　スプリング
３８　移動空間
【図１】
2004065519.tif 000003
【図２】
2004065519.tif 000004
【図３】
2004065519.tif 000005
【図４】
2004065519.tif 000006
【図５】
2004065519.tif 000007
【図６】
2004065519.tif 000008